(57)【要約】【課題】複数の表示部に情報を表示する際に、操作を受け付けた受付部に応じて効果的に情報を表示することができる表示装置を提供する。【解決手段】情報を表示する第１表示部（１７０）と、情報を表示する第２表示部（１８０）と、前記第１表示部及び前記第２表示部のそれぞれが表示する情報の内容を決定し、決定した情報を前記第１表示部及び前記第２表示部に表示させる表示制御部（１３０）と、ユーザの操作を受け付ける第１受付部（１１２）と、ユーザの操作を受け付ける第２受付部（１１４）と、を備え、前記表示制御部は、所定の操作を前記第１受付部が受け付けた場合には、所定の情報を前記第１表示部及び第２表示部にわたって表示させ、前記所定の操作を前記第２受付部が受け付けた場合には、前記所定の情報を前記第２表示部に表示させる。【選択図】図１
2020126318.tif 000002
【特許請求の範囲】
【請求項１】
情報を表示する第１表示部と、
情報を表示する第２表示部と、
前記第１表示部及び前記第２表示部のそれぞれが表示する情報の内容を決定し、決定した情報を前記第１表示部及び前記第２表示部に表示させる表示制御部と、
ユーザの操作を受け付ける第１受付部と、
ユーザの操作を受け付ける第２受付部と、を備え、
前記表示制御部は、
所定の操作を前記第１受付部が受け付けた場合には、所定の情報を前記第１表示部及び第２表示部にわたって表示させ、
前記所定の操作を前記第２受付部が受け付けた場合には、前記所定の情報を前記第２表示部に表示させる、
表示装置。
【請求項２】
前記表示制御部は、前記第２表示部がロック状態であるときに前記第１受付部がユーザの前記所定の操作を受け付けた場合には、前記所定の情報を前記第１表示部に表示させる、
請求項１に記載の表示装置。
【請求項３】
前記第１表示部及び前記第２表示部は、運転席及び同乗席を有する移動体に設けられており、
前記第１表示部は、前記第２表示部よりも前記運転席に近い位置に配置され、
前記第２表示部は、前記第１表示部よりも前記同乗席に近い位置に配置されている、
請求項１または２に記載の表示装置。
【請求項４】
前記所定の情報は、使用履歴のあるコンテンツを示すウインドウであり、
前記表示制御部は、複数の前記ウインドウを前記第１表示部に表示させる場合、または複数の前記ウインドウを前記第１表示部及び前記第２表示部にわたって表示させる場合には、前記運転席に近い側に配置される前記ウインドウが、前記同乗席側に隣接する前記ウインドウを部分的に隠すように複数の前記ウインドウを表示させ、
複数の前記ウインドウを前記第２表示部に表示させる場合には、前記同乗席に近い側に配置される前記ウインドウが、前記運転席側に隣接する前記ウインドウを部分的に隠すように複数の前記ウインドウを表示させる、
請求項３に記載の表示装置。
【請求項５】
前記表示制御部は、使用後に経過した時間が短いコンテンツを示すウインドウから順に、運転席側または同乗席側から複数の前記ウインドウを表示させる、
請求項４に記載の表示装置。
【請求項６】
前記表示制御部は、複数の前記ウインドウを前記第１表示部に表示させる場合、または複数の前記ウインドウを前記第１表示部及び前記第２表示部にわたって表示させる場合には、運転席に近い側から順に、使用後に経過した時間が短いコンテンツを示すウインドウを表示させる、
請求項５に記載の表示装置。
【請求項７】
前記表示制御部は、前記所定の情報を前記第１表示部及び前記第２表示部にわたって表示させる場合、最も運転席側に表示されたウインドウの前記運転席側に、前記最も運転席側に表示されたウインドウに示されるコンテンツに応じたテキスト情報を表示させる、
請求項４から６のうちいずれか１項に記載の表示装置。
【発明の詳細な説明】
【技術分野】
【０００１】
本発明は、表示装置に関する。
【背景技術】
【０００２】
従来、２つの表示モニタを連結して使用する表示装置が知られている（例えば、特許文献１参照）。この表示装置では、例えば、２つの表示モニタにまたがって図面等を表示することにより、例えば、表示面積が大きくなる図面等であっても、その一部が欠けることなく、全体を表示することができる。
【先行技術文献】
【特許文献】
【０００３】
【特許文献１】特開平６−１９４３３号公報
【発明の概要】
【発明が解決しようとする課題】
【０００４】
上記特許文献１に開示された表示装置において、図面の情報などの種々の情報を表示するにあたり、これらの情報をどのように表示するかについて言及されていない。このため、せっかく複数の表示モニタを備えていながらも、複数の情報を効果的に表示することが難しいという問題があった。
【０００５】
特に、表示装置に表示させるための操作を受け付ける受付部があり、この受付部が複数ある場合に、操作を受け付けた受付部によって、情報を効果的に表示する態様が異なることがある。しかし、上記特許文献１に開示された表示装置では、受付部が複数の設けられているものではないので、操作を受け付けた受付部によって、情報を効果的に表示することができかった。
【０００６】
本発明は、このような事情を考慮してなされたものであり、効果的に情報を表示することができる表示装置を提供することを目的の一つとする。
【課題を解決するための手段】
【０００７】
この発明に係る表示装置は、以下の構成を採用した。
（１）：この発明の一態様に係る表示装置は、情報を表示する第１表示部と、情報を表示する第２表示部と、前記第１表示部及び前記第２表示部のそれぞれが表示する情報の内容を決定し、決定した情報を前記第１表示部及び前記第２表示部に表示させる表示制御部と、ユーザの操作を受け付ける第１受付部と、ユーザの操作を受け付ける第２受付部と、を備え、前記表示制御部は、所定の操作を前記第１受付部が受け付けた場合には、所定の情報を前記第１表示部及び第２表示部にわたって表示させ、前記所定の操作を前記第２受付部が受け付けた場合には、前記所定の情報を前記第２表示部に表示させるものである。
【０００８】
（２）：上記（１）の態様において、前記表示制御部は、前記第２表示部がロック状態であるときに前記第１受付部がユーザの前記所定の操作を受け付けた場合には、前記所定の情報を前記第１表示部に表示させるものである。
【０００９】
（３）：上記（１）または（２）の態様において、前記第１表示部及び前記第２表示部は、運転席及び同乗席を有する移動体に設けられており、前記第１表示部は、前記第２表示部よりも前記運転席に近い位置に配置され、前記第２表示部は、前記第１表示部よりも前記同乗席に近い位置に配置されているものである。
【００１０】
（４）：上記（３）の態様において、前記所定の情報は、使用履歴のあるコンテンツを示すウインドウであり、前記表示制御部は、複数の前記ウインドウを前記第１表示部に表示させる場合、または複数の前記ウインドウを前記第１表示部及び前記第２表示部にわたって表示させる場合には、前記運転席に近い側に配置される前記ウインドウが、前記同乗席側に隣接する前記ウインドウを部分的に隠すように複数の前記ウインドウを表示させ、複数の前記ウインドウを前記第２表示部に表示させる場合には、前記同乗席に近い側に配置される前記ウインドウが、前記運転席側に隣接する前記ウインドウを部分的に隠すように複数の前記ウインドウを表示させるものである。
【００１１】
（５）：上記（４）の態様において、前記表示制御部は、使用後に経過した時間が短いコンテンツを示すウインドウから順に、運転席側または同乗席側から複数の前記ウインドウを表示させるものである。
【００１２】
（６）：上記（５）の態様において、前記表示制御部は、複数の前記ウインドウを前記第１表示部に表示させる場合、または複数の前記ウインドウを前記第１表示部及び前記第２表示部にわたって表示させる場合には、運転席に近い側から順に、使用後に経過した時間が短いコンテンツを示すウインドウを表示させるものである。
【００１３】
（７）：上記（４）から（６）のうちいずれかの態様において、前記表示制御部は、前記所定の情報を前記第１表示部及び前記第２表示部にわたって表示させる場合、最も運転席側に表示されたウインドウの前記運転席側に、前記最も運転席側に表示されたウインドウに示されるコンテンツに応じたテキスト情報を表示させるものである。
【発明の効果】
【００１４】
（１）〜（７）によれば、効果的に情報を表示することができる。
（２）によれば、必要な情報に重ねて他の情報を表示することを抑制できる。
（３）によれば、車両の乗員に適した情報を乗員の近い位置に表示することができる。
（４）によれば、必要性の高い情報を見やすくしたまま多数の情報を表示することができる。
（５）、（６）によれば、新しい情報を見やすくさせることができる。
【図面の簡単な説明】
【００１５】
【図１】実施形態の表示装置１００の構成を示すブロック図である。
【図２】表示装置１００に表示される画面の一例を示す図である。
【図３】表示装置１００において実行される処理の流れの一例を示すフローチャートである。
【図４】表示装置１００における表示の遷移の一例を示す図である。
【図５】表示装置１００において実行される処理の流れの一例を示すフローチャートである。
【図６】表示装置１００における表示の遷移の一例を示す図である。
【図７】表示装置１００における表示の遷移の一例を示す図である。
【発明を実施するための形態】
【００１６】
以下、図面を参照し、本発明の表示装置の実施形態について説明する。表示装置１００は、移動体である車両内に設けられた複数の表示部に所定のコンテンツ、例えば使用履歴のあるコンテンツを示すウインドウを表示させる表示装置である。車両は、例えば電気自動車である。車両は、電気自動車以外の車両でもよく、いわゆるガソリン自動車やハイブリッド自動車でもよい。移動体は、車両以外でもよく、例えば、航空機や鉄道車両でもよい。
【００１７】
図１は、実施形態の表示装置１００の構成を示すブロック図である。表示装置１００は、例えば、受付部１１０と、表示制御部１３０と、第１表示部１７０と、第１表示部１７０とは異なる第２表示部１８０とを備える。表示装置１００は、例えば車両に搭載される車両用表示装置である。表示装置１００は、車両以外の場所、例えば居室内に設けられる表示装置でもよい。
【００１８】
第１表示部１７０と第２表示部１８０は、いずれも種々の情報を表示する。第１表示部１７０と第２表示部１８０は、例えば、互いに隣接して設けられた二つのタッチパネル式の表示装置である。また、第１表示部１７０と第２表示部１８０は、一つの表示装置の互いに異なる領域であってもよい。また、タッチパネル式の表示装置である第１表示部１７０と第２表示部１８０に代えてまたは加えて、タッチパッドやコマンダー等の遠隔デバイスを用いてもよい。
【００１９】
受付部１１０の一部及び表示制御部１３０の一部または全部の各構成要素は、例えば、ＣＰＵ（Central Processing Unit）などのハードウェアプロセッサがプログラム（ソフトウェア）を実行することにより実現される。これらの構成要素のうち一部または全部は、ＬＳＩ（Large Scale Integration）やＡＳＩＣ（Application Specific Integrated Circuit）、ＦＰＧＡ（Field-Programmable Gate Array）、ＧＰＵ（Graphics Processing Unit）などのハードウェア（回路部；circuitryを含む）によって実現されてもよいし、ソフトウェアとハードウェアの協働によって実現されてもよい。プログラムは、予めＨＤＤ（Hard Disk Drive）やフラッシュメモリなどの記憶装置（非一過性の記憶媒体を備える記憶装置）に格納されていてもよいし、ＤＶＤやＣＤ−ＲＯＭなどの着脱可能な記憶媒体（非一過性の記憶媒体）に格納されており、記憶媒体がドライブ装置に装着されることでインストールされてもよい。
【００２０】
受付部１１０は、例えばユーザである乗員の操作を受け付ける。受付部１１０は、例えば、第１受付部１１２と、第２受付部１１４とを備える。第１受付部１１２は、例えば、第１表示部１７０に設定されたＧＵＩ（Graphical User Interface）スイッチにより、乗員の操作を受け付ける。第２受付部１１４は、例えば、第２表示部１８０に設定されたＧＵＩスイッチにより乗員の操作を受け付ける。ＧＵＩスイッチは、例えば矩形の枠などの形態で表示される。
【００２１】
図２は、表示装置１００に表示される画面の一例を示す図である。図２に示すように、第１表示部１７０には、第１メニューボタン１７２及び第１画像表示領域１７４が設定される。第１メニューボタン１７２は、ＧＵＩスイッチである。また、例えば第１画像表示領域１７４にはＧＵＩスイッチが表示される。第１メニューボタン１７２は、第１受付部１１２の一部を構成する。第２表示部１８０は、右ハンドル車の場合、第１表示部１７０の左側に配置される。左ハンドル車の場合は、左右が逆に配置される。以下、右ハンドル車の構成を例示するが、左ハンドル車の構成については左右を読み替えればよい。
【００２２】
第２表示部１８０には、第２メニューボタン１８２、第２画像表示領域１８４、及びロックボタン１８６が設定される。第２メニューボタン１８２及びロックボタン１８６は、いずれもＧＵＩスイッチである。第２画像表示領域１８４にはＧＵＩスイッチが表示される。第１表示部１７０は、例えば車内のダッシュボードにおいて運転席側又は中央に設置され、第２表示部１８０よりも運転席に近い位置に配置される。第２表示部１８０は、車内の同乗席である助手席側に設置され、第１表示部１７０よりも助手席に近い位置に配置される。第２メニューボタン１８２は、第２受付部１１４の一部を構成する。
【００２３】
表示制御部１３０は、第１表示部１７０及び第２表示部１８０のそれぞれが表示する情報の内容を決定し、決定した情報を第１表示部１７０及び第２表示部１８０に表示させる。表示制御部１３０は、受付部１１０により受け付けられた所定の操作に基づいて、第１画像表示領域１７４と第２画像表示領域の一方又は双方に所定の情報を表示させる。本実施形態では、所定の操作は第１メニューボタン１７２または第２メニューボタン１８２の操作であり、所定情報は例えば複数のウインドウＷｎ（ｎ：整数）を含むウインドウ群ＷＡである。第１メニューボタン１７２または第２メニューボタン１８２の操作は、例えば、第１メニューボタン１７２または第２メニューボタン１８２を乗員がタッチする操作である。
【００２４】
ウインドウ群ＷＡには、第１ウインドウＷ１〜第６ウインドウＷ６が含まれる。第１ウインドウＷ１に示されるコンテンツはラジオアプリであり、第２ウインドウＷ２に示されるコンテンツはナビアプリである。第３ウインドウＷ３に示されるコンテンツは電話アプリであり、第４ウインドウＷ４に示されるコンテンツは時計アプリである。第５ウインドウＷ５に示されるコンテンツはメータ表示アプリであり、第６ウインドウＷ６に示されるコンテンツはその他のアプリである。なお、ウインドウ群は、６個のウインドウでなく、２個〜５個、あるいは７個以上のウインドウ群であってもよい。ウインドウ群の数は変動してもよい。
【００２５】
第１ウインドウＷ１〜第６ウインドウＷ６は、いずれもＧＵＩスイッチである。第１ウインドウＷ１〜第６ウインドウＷ６のいずれかがタッチされると、第１ウインドウＷ１〜第６ウインドウＷ６が示すコンテンツのアプリが起動する。表示制御部１３０は、アプリが起動すると、起動したアプリに応じた画像を第１画像表示領域１７４及び第２画像表示領域１８４に表示させる。
【００２６】
表示制御部１３０は、ウインドウ群ＷＡを表示させるにあたり、第１画像表示領域１７４または第２画像表示領域１８４のいずれかに収めてウインドウ群ＷＡを表示させることがある。表示制御部１３０は、第１画像表示領域１７４と第２画像表示領域１８４にまたがってウインドウ群ＷＡを表示させることもある。
【００２７】
表示制御部１３０は、ウインドウ群ＷＡを表示させるにあたり、使用後に経過した時間が短いコンテンツを示すウインドウＷｎ（ｎ：整数）から順に、運転席側から複数のウインドウＷｎを表示させる。図２に示す例では、使用後に経過した時間は、第１ウインドウＷ１に示されるコンテンツが最も短く、第６ウインドウＷ６に示されるコンテンツが最も長い。言い換えると、第１ウインドウＷ１〜第６ウインドウＷ６に示されるコンテンツのうち、第１ウインドウＷ１に示されるコンテンツは、もっとも最近使用されたコンテンツである。第６ウインドウＷ６に示されるコンテンツは、最後に使用された時期が最も古いコンテンツである。
【００２８】
表示制御部１３０は、受付部１１０がロックボタン１８６の操作を受け付けた場合に第２表示部１８０をロック状態と非ロック状態とに切り替える。第２表示部１８０がロック状態となると、表示制御部１３０は、第２画像表示領域１８４の表示対象となるウインドウＷｎを固定する。例えば、第２画像表示領域１８４にウインドウＷｎが表示されている場合に第２表示部１８０がロック状態となったとする。この場合、第２画像表示領域１８４に表示されているウインドウＷｎは消去されず、第２画像表示領域１８４に新たなウインドウＷｎが表示されることはない。第２表示部１８０が非ロック状態となると、表示制御部１３０は、第２画像表示領域１８４に表示されるウインドウＷｎを変化させられるようになる。
【００２９】
なお、表示制御部１３０は、第１表示部１７０と第２表示部１８０のいずれかにウインドウＷｎが表示されている状態において、受付部１１０により操作が受け付けられた場合、受け付けられた操作に応じて、既に表示されていたウインドウＷｎの表示態様を変更するようにしてもよい。「表示態様を変更する」とは、例えば、表示位置を変更する、表示領域を拡大又は縮小する、等の動作を含むものでもよい。
【００３０】
［表示装置の表示態様］
次に、表示装置１００の表示態様について説明する。第１表示部１７０の第１メニューボタン１７２は、高さ方向の上方位置の運転席に近い側に配置され、第１画像表示領域１７４は、第１メニューボタン１７２よりも左側（助手席側）の高さ方向略中央の広い領域に配置されている。
【００３１】
第２表示部１８０の第２メニューボタン１８２は、高さ方向の上方位置の助手席に近い側に配置されている。第２画像表示領域１８４は、第２メニューボタン１８２よりも右側（運転席側）の高さ方向略中央の広い領域に配置されている。ロックボタン１８６は、第２メニューボタン１８２の下方に配置されている。
【００３２】
第１メニューボタン１７２及び第２メニューボタン１８２には、それぞれ「ＭＥＮＵ」の文字が表示されている。第１表示部１７０に表示される第１メニューボタン１７２は、右ハンドル車の場合、第１表示部１７０の右側（運転席に近い側）に配置されている。このため、第１メニューボタン１７２は、ドライバが操作しやすく、助手席に着座している同乗者（以下「アシスタント」という）が操作しにくくなっている。第２表示部１８０に表示される第２メニューボタン１８２は、右ハンドル車の場合、第２表示部１８０の左側（助手席に近い側）に配置されている。このため、第２メニューボタン１８２は、アシスタントが操作しやすく、ドライバが操作しにくくなっている。第１メニューボタン１７２及び第２メニューボタン１８２の表示は、「ＭＥＮＵ」の文字以外の文字による表示でもよい。また、文字以外の表示、例えば記号などでもよい。ここでは、第１メニューボタン１７２及び第２メニューボタン１８２の表示は共通しているが、異なっていてもよい。
【００３３】
第１メニューボタン１７２または第２メニューボタン１８２が操作されると、第１画像表示領域１７４及び第２画像表示領域１８４の一方又は両方にウインドウ群ＷＡが表示される。第１画像表示領域１７４及び第２画像表示領域１８４には、ウインドウ群ＷＡが表示可能とされている。第１画像表示領域１７４及び第２画像表示領域１８４には、ウインドウ群ＷＡを含む画像が表示される場面と、ウインドウ群ＷＡを含まない画像が表示される場面とがある。図２に示す例では、第１画像表示領域１７４及び第２画像表示領域１８４にまたがって、ウインドウ群ＷＡが表示されている。
【００３４】
ロックボタン１８６には、「ＬＯＣＫ」の文字が表示されている。ロックボタン１８６は、助手席に近い側に配置され、アシスタントが操作しやすく、ドライバが操作しにくくなっている。ロックボタン１８６は、第２表示部１８０が非ロック状態であるときに明表示されており、第２表示部１８０がロック状態であるときに、暗表示となる。例えば、第２表示部１８０が非ロック状態であるときにロックボタン１８６の操作を受付部１１０が受け付けた場合、表示制御部１３０は、第２表示部１８０をロック状態とするとともに、ロックボタン１８６の表示を暗転させる。第２表示部１８０がロック状態であるときにロックボタン１８６の操作を受付部１１０が受け付けた場合、表示制御部１３０は、第２表示部１８０を非ロック状態とするとともに、ロックボタン１８６の表示を明転させる。ロックボタン１８６の表示は「ＬＯＣＫ」の文字以外の文字による表示でもよい。また、文字以外の表示、例えば記号などでもよい。また、ロック状態と非ロック状態に合わせて、「ＬＯＣＫ」と「ＵＮＬＯＣＫ」文字が表示されるようにしてもよい。この場合、ロックボタン１８６は明暗転しないようにしてもよい。
【００３５】
［表示装置１００における処理フロー及び表示の遷移のその１］
次に、表示装置１００における処理フロー及び表示装置における表示の遷移について説明する。図３は、表示装置１００において実行される処理の流れの一例を示すフローチャート、図４は、表示装置１００における表示の遷移の一例を示す図である。図３に示すフローチャートは、第１メニューボタン１７２や第２メニューボタン１８２のいずれかの操作を受付部１１０が受け付けたときに開始される。
【００３６】
表示制御部１３０は、受付部１１０が操作を受け付けたメニューボタンが運転席側に配置された第１メニューボタン１７２であるか否かを判定する（ステップＳ１１０）。例えば、図４（Ａ）に示すように、各ＧＵＩのいずれもが操作されていない状態において、第１メニューボタン１７２または第２メニューボタン１８２が操作されて、受付部１１０がその操作を受け付ける。
【００３７】
図４（Ｂ）に示すように、第１メニューボタン１７２が操作され、受付部１１０が操作を受け付けたメニューボタンが運転席側に配置された第１メニューボタン１７２であると表示制御部１３０が判定したとする。この場合、表示制御部１３０は、第１メニューボタン１７２を暗転表示させる。続いて、表示制御部１３０は、助手席側の表示部である第２表示部１８０がロック状態であるか否かを判定する（ステップＳ１１２）。
【００３８】
助手席側の表示部である第２表示部１８０がロック状態でないと判定した場合、表示制御部１３０は、図４（Ｂ）に示すように、運転席側に向けて第１画像表示領域１７４と第２画像表示領域１８４の全面にわたってウインドウ群ＷＡを表示させる（ステップＳ１１４）。より具体的には、表示制御部１３０は、複数のウインドウＷｎを第１表示部１７０の第１画像表示領域１７４と第２表示部１８０の第２画像表示領域１８４にまたがって表示させる。表示制御部１３０は、複数のウインドウＷｎのうち、最も運転席側に表示させる第１ウインドウＷ１のほぼ全体を第１画像表示領域１７４に表示させる。
【００３９】
このとき、表示制御部１３０は、ウインドウ群ＷＡにおける最も運転席側に配置されたウインドウ、ここでは第１ウインドウＷ１における運転席側の端部に、第１ウインドウＷ１に示されるコンテンツに応じたテキスト情報を表示させる。図４（Ｂ）に示す例では、表示制御部１３０は、第１ウインドウＷ１が、例えばラジオアプリを示すウインドウであり、第１ウインドウＷ１の運転席側の端部に、ラジオアプリで選択する放送局（周波数帯）の集合体である「ＦＭ」の文字のテキスト情報を表示させる。なお、第１ウインドウＷ１における「Ａ」の文字は、「ＲＡＤＩＯ」である。
【００４０】
表示制御部１３０は、第１ウインドウＷ１の助手席側に第２ウインドウＷ２を隣接させて表示させる。表示制御部１３０は、運転席に近い側に配置される第１ウインドウＷ１が、助手席側に隣接する第２ウインドウＷ２を部分的に隠すように第１ウインドウＷ１及び第２ウインドウＷ２を表示させる。第２ウインドウＷ２は、例えば、ナビゲーションアプリを示すウインドウであり、第２ウインドウＷ２における「Ｂ」の文字は、「ＮＡＶＩ」である。
【００４１】
同様に、表示制御部１３０は、第２ウインドウＷ２の助手席側に第３ウインドウＷ３を隣接させて表示させ、第３ウインドウＷ３の助手席側に第４ウインドウＷ４を隣接させて表示させる。表示制御部１３０は、第４ウインドウＷ４の助手席側に第５ウインドウＷ５を隣接させて表示させ、第５ウインドウＷ５の助手席側に第６ウインドウＷ６を隣接させて表示させる。表示制御部１３０は、運転席に近い側に配置される第２ウインドウＷ２〜第５ウインドウＷ５が、助手席側にそれぞれ隣接する第３ウインドウＷ３〜第６ウインドウＷ６を部分的に隠すように第２ウインドウＷ２〜第６ウインドウＷ６を表示させる。
【００４２】
第３ウインドウＷ３は、例えば、電話アプリを示すウインドウであり、第３ウインドウＷ３における「Ｃ」の文字は、「ＰＨＯＮＥ」である。第４ウインドウＷ４は、例えば、時計アプリを示すウインドウであり、第４ウインドウＷ４における「Ｄ」の文字は、「ＣＬＯＣＫ」である。第５ウインドウＷ５は、例えば、メータアプリを示すウインドウであり、第５ウインドウＷ５における「Ｅ」の文字は、「ＭＥＴＥＲ」である。第６ウインドウＷ６は、例えば、その他のアプリを示すウインドウであり、第６ウインドウＷ６における「Ｆ」の文字は、「ＯＴＨＥＲ」である。こうして、表示装置１００は、図３に示す処理を終了する。
【００４３】
また、図４（Ｃ）に示すように、ロックボタン１８６が操作されて、暗転表示されている状態において、第１メニューボタン１７２が操作された場合には、表示制御部１３０は、ステップＳ１１４において、助手席側の表示部である第２表示部１８０がロック状態であると判定する。この場合、表示制御部１３０は、図４（Ｃ）に示すように、運転席側の表示部である第１表示部１７０に収めた状態でウインドウ群ＷＡを運転席側に向けて表示させる（ステップＳ１１６）。
【００４４】
表示制御部１３０は、複数のウインドウＷｎのうち、最も運転席側に表示させる第１ウインドウＷ１の全体を第１画像表示領域１７４に表示させる。また、表示制御部１３０は、運転席に近い側に配置される第２ウインドウＷ２〜第５ウインドウＷ５が、助手席側にそれぞれ隣接する第３ウインドウＷ３〜第６ウインドウＷ６を部分的に隠すように第２ウインドウＷ２〜第６ウインドウＷ６を表示させる。こうして、表示装置１００は、図３に示す処理を終了する。
【００４５】
また、図４（Ｄ）に示すように、第２メニューボタン１８２が操作され、受付部１１０が操作を受け付けたメニューボタンが助手席側に配置された第２メニューボタン１８２であると表示制御部１３０が判定したとする。この場合、表示制御部１３０は、第２メニューボタン１８２を暗転表示させる。続いて、表示制御部１３０は、助手席側の表示部である第２表示部１８０に収めた状態でウインドウ群ＷＡを助手席側に向けて表示させる（ステップＳ１１８）。
【００４６】
表示制御部１３０は、複数のウインドウＷｎのうち、最も助手席側に表示させる第１ウインドウＷ１の全体を第２画像表示領域１８４に表示させる。また、表示制御部１３０は、助手席に近い側に配置される第２ウインドウＷ２〜第５ウインドウＷ５が、運転席側にそれぞれ隣接する第３ウインドウＷ３〜第６ウインドウＷ６を部分的に隠すように第２ウインドウＷ２〜第６ウインドウＷ６を表示させる。こうして、表示装置１００は、図３に示す処理を終了する。
【００４７】
［表示装置１００における処理フロー及び表示の遷移のその２］
続いて、表示装置１００に表示されたコンテンツの中から使用するコンテンツが選択され、選択されたコンテンツの画像を表示装置１００に表示させ、さらに、コンテンツの表示を終了するまでの表示装置１００における処理フロー及び表示装置における表示の遷移について説明する。図５は、表示装置１００において実行される処理の流れの一例を示すフローチャート、図６は、表示装置１００における表示の遷移の一例を示す図である。図５に示すフローチャートは、表示装置１００にウインドウ群ＷＡが表示されたときに開始される。
【００４８】
表示制御部１３０は、図５に示すように、第１表示部１７０または第２表示部１８０にウインドウ群ＷＡを表示しているか否かを判定する（ステップＳ２１０）。第１表示部１７０または第２表示部１８０にウインドウ群ＷＡを表示していないと判定した場合、表示制御部１３０は、図５に示す処理を終了する。
【００４９】
第１表示部１７０または第２表示部１８０にウインドウ群ＷＡを表示していると判定した場合、表示制御部１３０は、ウインドウ群ＷＡに含まれる複数のウインドウＷｎのいずれかの操作を受付部１１０が受け付けたか否かを判定する（ステップＳ２１２）。ウインドウＷｎのいずれかの操作を受付部１１０が受け付けたと判定した場合、表示制御部１３０は、選択されたウインドウＷｎが示すコンテンツの画像を第１表示部１７０または第２表示部１８０に表示させる（ステップＳ２１４）。
【００５０】
表示制御部１３０は、ステップＳ２１２において操作されたウインドウＷｎが最先部に配置されたウインドウであるか否かを判定する（ステップＳ２１６）。ここでの最先部とは、最も運転席側または助手席側であり、他のウインドウＷｎによって一部が隠されない位置である。
【００５１】
操作されたウインドウＷｎが最先部に配置されたウインドウであると判定した場合、表示制御部１３０は、操作されたウインドウＷｎを移動させることなく、そのまま図５に示す処理を終了する。操作されたウインドウＷｎが最先部に配置されたウインドウでないと判定した場合、表示制御部１３０は、操作されたウインドウＷｎを最先部に移動させ（ステップＳ２１８）、図５に示す処理を終了する。
【００５２】
例えば、図６（Ａ）に示すように、第１画像表示領域１７４及び第２画像表示領域１８４にウインドウ群ＷＡが表示されていたとする。ウインドウ群ＷＡでは、最先部には第１ウインドウＷ１が表示され、第４ウインドウＷ４は最先部から４番目に表示されている。この状態で第２ウインドウＷ２が操作されると、図６（Ｂ）に示すように、第２ウインドウＷ２に示されるナビゲーションアプリの画像が第１画像表示領域１７４及び第２画像表示領域１８４に跨って表示される。なお、第２ウインドウＷ２に示されるナビゲーションアプリの画像は第１画像表示領域１７４及び第２画像表示領域１８４に跨って表示されるが、アプリの種類によっては、第１画像表示領域１７４にのみ表示されてもよいし、第２画像表示領域１８４にのみ表示されてもよい。また、操作の態様等の条件によって、表示される領域が第１画像表示領域１７４もしくは第２画像表示領域１８４の一方、または第１画像表示領域１７４の第２画像表示領域１８４の両方に変わるようにしてもよい。
【００５３】
その後、例えば図６（Ｂ）に示す第１メニューボタン１７２が操作されると、ナビゲーションアプリの表示が終了され、図６（Ｃ）に示すように、再度第１画像表示領域１７４及び第２画像表示領域１８４にウインドウ群ＷＡが表示される。図６（Ｃ）に示すように、第１画像表示領域１７４及び第２画像表示領域１８４に表示されたウインドウ群ＷＡでは、第１メニューボタン１７２が操作される前に表示されていたナビゲーションアプリに対応する第２ウインドウＷ２が最先部に表示される。また、第２ウインドウＷ２の運転席側の端部には、テキスト情報として、「ＮＡＶＩ」の文字が表示される。
【００５４】
このとき、例えば第２メニューボタン１８２が操作されると、図７（Ａ）に示すように、第２画像表示領域１８４にウインドウ群ＷＡが表示される。また、例えば、ロックボタン１８６が操作されており、第２表示部１８０がロック状態にあるときに第２メニューボタン１８２が操作されると、図７（Ｂ）に示すように、第１画像表示領域１７４にウインドウ群ＷＡが表示される。
【００５５】
本発明の実施形態の表示装置１００では、表示制御部１３０は、複数のコンテンツをそれぞれ示す複数のウインドウＷｎがウインドウ群ＷＡとして第１表示部１７０及び第２表示部１８０に表示させる。ウインドウ群ＷＡは、例えば第１メニューボタン１７２または第２メニューボタン１８２の操作を受付部１１０が受け付けたときに第１表示部１７０及び第２表示部１８０に表示されるが、第１メニューボタン１７２または第２メニューボタン１８２のいずれが操作されたかによってウインドウ群ＷＡの表示態様が異なる。このため、操作を受け付けた受付部１１０が第１受付部１１２か第２受付部１１４かに応じて効果的に情報を表示することができる。
【００５６】
具体的に、運転席に近い第１メニューボタン１７２が操作されたときには、第１画像表示領域１７４及び第２画像表示領域１８４にわたってウインドウ群ＷＡが表示され、第２メニューボタン１８２が操作されたときには、第２画像表示領域１８４にウインドウ群ＷＡが表示される。したがって、ドライバが操作することが多い第１メニューボタン１７２の操作によってウインドウ群ＷＡが大きく表示されるので、ウインドウ群ＷＡの中からウインドウＷｎを選択して操作するにあたって、運転を行うドライバにかかる負担を小さくすることができる。また、アシスタントが操作することが多い第２メニューボタン１８２の操作によってウインドウ群ＷＡが、助手席に近い位置にある第２画像表示領域１８４に表示されるので、第１画像表示領域１７４には、ドライバに有用な情報を表示することができる。
【００５７】
また、上記の表示装置１００では、表示制御部１３０は、第２表示部１８０がロック状態となっているときに第１メニューボタン１７２が操作された場合には、第１画像表示領域１７４にウインドウ群ＷＡを表示させる。第２表示部１８０に表示された情報がアシスタントにとって有用であり、ウインドウ群ＷＡを表示させるとしても第２画像表示領域１８４には、表示させたくない場合に、第２表示部１８０をロック状態にできる。このときには、第１メニューボタン１７２の操作によって、運転席に近い第１画像表示領域１７４にウインドウ群ＷＡが表示されるので、アシスタント等に有用な情報を継続して第２画像表示領域１８４に表示させることができるとともに、ウインドウ群ＷＡをドライバに近い位置に表示することができる。
【００５８】
また、上記の表示装置１００では、表示制御部１３０は、運転席に近い側に配置されるウインドウＷｎが助手席側に隣接するウインドウＷｎを部分的に隠すようにウインドウ群ＷＡを表示させる。このため、運転席に近い側に配置される必要性の高い情報を見やすくしたまま多数のウインドウを表示することができる。
【００５９】
また、上記の表示装置１００では、表示制御部１３０は、ウインドウ群ＷＡを表示させるにあたり、使用後に経過した時間が短いコンテンツを示すウインドウＷｎから順に、運転席側から複数のウインドウＷｎを表示させる。このため、最も新しく操作したウインドウを運転席側に表示するので、新しい情報をドライバに見やすくさせることができる。さらに、複数のウインドウＷｎが時系列で配列されることになるので、乗員に対して、コンテンツを使用した時系列を感覚的にわかりやすくさせることができる。
【００６０】
また、上記の表示装置１００では、表示制御部１３０は、ウインドウ群ＷＡにおける最も運転席側に配置されたウインドウＷｎにおける運転席側の端部に、ウインドウＷｎに示されるコンテンツに応じたテキスト情報を表示させる。このため、ウインドウＷｎにおける表示内容をドライバに把握させやすくすることができる。
【００６１】
なお、実施形態の表示装置１００においては、例えば第１メニューボタン１７２及び第２メニューボタン１８２はＧＵＩによって形成されるが、ＧＵＩに代えて、ＧＵＩ以外の操作ボタンなどで形成されていてもよい。また、ＧＵＩは、実施形態において設定された位置以外の位置に設定されてもよい。ＧＵＩ以外の操作ボタンは、例えば、表示装置１００の周囲に配置してもよいし、表示装置１００の内側に表示してもよい。操作ボタンを表示装置１００の周囲に配置する場合には、例えば、表示装置１００の右側（運転席側）、左側（助手席側）、上側、左側など、どのような位置に配置してもよい。
【００６２】
また、ロックボタン１８６についても、ＧＵＩに代えて、ＧＵＩ以外の操作ボタンなどで形成されていてもよい。操作ボタンの配置は、上記のように、表示装置１００の周囲等のいずれの位置でもよい。また、ロックボタン１８６を操作した場合と同様の機能として、第１表示部１７０に表示されたＧＵＩを操作したときに、第２表示部１８０がロック状態となるようにしてもよい。
【００６３】
また、実施形態の表示装置１００では、第１表示部１７０をロック状態にするロックボタンを設定していないが、第１表示部１７０のロック状態と非ロック状態とを切り替えるロックボタン（第１ロックボタン）を設定するようにしてもよい。この場合、例えば、第１表示部１７０と第１ロックボタンとの関係が、第２表示部１８０とロックボタン１８６との関係と同様となるようにしてもよい。
【００６４】
また、実施形態の表示装置１００では、ウインドウ群ＷＡに含まれるウインドウＷｎを移動させてその表示順序を変えたり、ウインドウＷｎを消去させたりする操作はないが、これらの操作を行えるようにしてもよい。ウインドウＷｎを移動させたり消去させたりする操作を行えるようにすることにより、乗員の嗜好によるウインドウ群ＷＡの表示のカスタマイズを容易に行うことができる。また、このときに、最先部に位置するウインドウＷｎの端部にテキスト情報が表示されるので、テキスト情報を表示させたいウインドウＷｎを最先部に移動させることもできる。
【００６５】
また、実施形態の表示装置１００では、第１表示部１７０及び第２表示部１８０は、車内のダッシュボードに設けられているが、車両のその他の位置に設けられていてもよい。また、第１表示部１７０及び第２表示部１８０は、車両のダッシュボードなどに直接設けられたものではなく、他のデバイス、例えば二つの表示画面を有する画面スマートフォンを車両に取り付けることによって設けられてものでもよい。
【００６６】
以上、本発明を実施するための形態について実施形態を用いて説明したが、本発明はこうした実施形態に何等限定されるものではなく、本発明の要旨を逸脱しない範囲内において種々の変形及び置換を加えることができる。
【符号の説明】
【００６７】
１００…表示装置
１１０…受付部
１１２…第１受付部
１１４…第２受付部
１３０…表示制御部
１７０…第１表示部
１７２…第１メニューボタン
１７４…第１画像表示領域
１８０…第２表示部
１８２…第２メニューボタン
１８４…第２画像表示領域
１８６…ロックボタン
ＷＡ…ウインドウ群
【図１】
2020126318.tif 000003
【図２】
2020126318.tif 000004
【図３】
2020126318.tif 000005
【図４】
2020126318.tif 000006
【図５】
2020126318.tif 000007
【図６】
2020126318.tif 000008
【図７】
2020126318.tif 000009